(57)【要約】      （修正有）【課題】本体の故障発生時に、メンテナンス者が容易に故障原因を推定し、保守点検および修理の判断を容易に行うことを可能にすることを目的とする。【解決手段】本体１の故障時、エラーコード表示部にエラーコードを発報するとともに、エラーコードが発報された時の運転モードおよびアクチュエータの作動状態、循環モータ３および換気モータ６の積算運転時間、本体１への積算通電時間を不揮発性メモリに記憶するという構成にしたことにより、本体１の故障時、エラーコード表示部にエラーコードを発報するとともに、前記エラーコードが発報された時間と、その時の運転モードおよびアクチュエータの作動状態を不揮発性メモリに記憶するので、本体１の故障発生時に、メンテナンス者が容易に故障原因を推定し、保守点検および修理の判断を容易に行うことができる浴室空気調和機を得られる。【選択図】図１
2014047941.tif 000002
【特許請求の範囲】
【請求項１】
天井裏に隠蔽される浴室空気調和機のうち、浴室の空気を吸い込んで前記浴室に戻す循環ファンおよび循環モータと、前記浴室の空気を吸い込んで屋外に排出する換気ファンおよび換気モータと、前記浴室から吸い込んだ空気を加熱する循環風加熱手段と、前記浴室空気調和機運転を制御する制御基板と、前記浴室から前記浴室空気調和機を見上げた際の意匠性を確保するための意匠パネルとを備えた浴室空気調和機であって、前記浴室空気調和機の故障時、エラーコード表示部にエラーコードを発報するとともに、前記エラーコードが発報された時の運転モードおよびアクチュエータの作動状態、前記循環モータおよび前記換気モータの積算運転時間、前記浴室空気調和機への積算通電時間を不揮発性メモリに記憶することを特徴とする浴室空気調和機。
【請求項２】
浴室空気調和機を脱衣室から操作し運転状態を表示する操作手段としてのコントローラを備え、前記コントローラは前記浴室空気調和機と通信線を用いて接続され、前記浴室空気調和機の故障時、前記コントローラがエラーコードの表示部を兼ねることを特徴とする請求項１に記載の浴室空気調和機。
【請求項３】
エラーコードが発報された時間として、制御基板に内蔵されたタイマによってカウントされた積算通電時間を不揮発性メモリに記憶することを特徴とする請求項１に記載の浴室空気調和機。
【請求項４】
コントローラを操作することにより、不揮発性メモリに記憶されたエラーコードが発報された時間と、その時の運転モードおよび各アクチュエータの状態を、前記コントローラのエラーコード表示部に順次表示させることを特徴とする請求項２に記載の浴室空気調和機。
【請求項５】
エラーコードが発報された時間として、制御基板に内蔵されたタイマによってカウントされた各運転モードの積算運転時間を不揮発性メモリに記憶することを特徴とする請求項１に記載の浴室空気調和機。
【請求項６】
浴室空気調和機の意匠パネルに取り付けたサブ基板にエラーコード表示手段を設け、前記浴室空気調和機に赤外線等を用いて運転指令を出すワイヤレスリモコンを操作することにより、前記エラーコード表示手段にエラーコードを表示することを特徴とする請求項１に記載の浴室空気調和機。
【発明の詳細な説明】
【技術分野】
【０００１】
本発明は、浴室内の環境を整えるために用いる浴室空気調和機に関する。
【背景技術】
【０００２】
従来、この種のエラーコード表示システムにおいては、機器の運転を制御する制御装置と、機器を運転させるためのコントローラと、主電源を切っても記憶保持する不揮発性メモリを備え、例えばモータとポンプのような複数の駆動回路を備え、システムのいずれかが故障した際には対応するエラーコードをコントローラに備えたエラーコード表示部に表示することのできる物がある。（例えば、特許文献１参照）。
【０００３】
以下、そのエラーコード表示システムについて、図６を参照しながら説明する。
【０００４】
図６はポンプ１０２およびポンプ駆動回路１０３、ファンモータ１０４およびファンモータ駆動回路１０５を有する給湯機器で、前記給湯機器の運転を制御する制御装置１０１を備えている。制御装置１０１には各駆動回路を制御するマイコン１０６および不揮発性メモリ１０６ａが実装されており、居間や台所から操作し運転状態を表示する操作手段としてのコントローラ１０７を備え、コントローラ１０７は制御装置１０１に通信線１０８を用いて接続されている。
【０００５】
コントローラ１０７は、給湯運転や床暖房運転等をさせるための運転ボタン、給湯温度を変更するための給湯温度調整ボタン、給湯温度や暖房温度を表示する温度表示部分を持つものである。
【０００６】
この給湯機器において、ポンプ１０２やファンモータ１０４、コントローラ１０７といった構成部品に故障が発生した場合、制御装置１０１は機器にあらかじめ登録された対応するエラーコードを出力し、それをコントローラ１０７に表示すると同時に、不揮発性メモリ１０６ａにエラーコードを記憶させる。
【０００７】
エラーコードは不揮発性メモリ１０６ａに格納されているため、エラーコードが発報された後にユーザーが主電源を落としても、その情報が消去されてしまうことはない。コントローラ１０７の操作を行うことで、過去に発報されたエラーコードをコントローラ１０７の温度表示部分に表示する機能を持たせることで、後日、修理業者が何のエラーが発生したかを確認することができる。
【０００８】
このような従来のエラーコード表示システムにおいては、エラーコードのみが記録されている場合、エラー原因が複数に渡るような事象ではどのアクチュエータが原因でそのエラーコードが発報されたか分からないことがままあり、修理業者が修理の判断に困ることがあったり、場合によっては二次被害を避けるために正常な部品も一緒に交換することがあった。
【先行技術文献】
【特許文献】
【０００９】
【特許文献１】特開平９−２２３０３４号公報
【発明の概要】
【発明が解決しようとする課題】
【００１０】
このような従来の浴室空気調和機においては、従来のエラーコード記録機能では、発報されたエラーコードの確認は出来るが、その時の運転モードや各アクチュエータの作動状態は確認できないため、故障原因の推定が困難な場合があった、という課題を有していた。
【００１１】
そこで本発明は、上記従来の課題を解決するものであり、浴室空気調和機の故障発生時に、メンテナンス者が容易に故障原因を推定し、保守点検および修理の判断を容易に行うことができる浴室空気調和機を提供することを目的とする。
【課題を解決するための手段】
【００１２】
そして、この目的を達成するために、本発明は、天井裏に隠蔽される浴室空気調和機のうち、浴室の空気を吸い込んで前記浴室に戻す循環ファンおよび循環モータと、前記浴室の空気を吸い込んで屋外に排出する換気ファンおよび換気モータと、前記浴室から吸い込んだ空気を加熱する循環風加熱手段と、前記浴室空気調和機運転を制御する制御基板と、前記浴室から前記浴室空気調和機を見上げた際の意匠性を確保するための意匠パネルとを備えた浴室空気調和機であって、前記浴室空気調和機の故障時、エラーコード表示部にエラーコードを発報するとともに、前記エラーコードが発報された時の運転モードおよびアクチュエータの作動状態、前記循環モータおよび前記換気モータの積算運転時間、前記浴室空気調和機への積算通電時間を不揮発性メモリに記憶することとしたものであり、これにより所期の目的を達成するものである。
【発明の効果】
【００１３】
本発明によれば、天井裏に隠蔽される浴室空気調和機のうち、浴室の空気を吸い込んで前記浴室に戻す循環ファンおよび循環モータと、前記浴室の空気を吸い込んで屋外に排出する換気ファンおよび換気モータと、前記浴室から吸い込んだ空気を加熱する循環風加熱手段と、前記浴室空気調和機運転を制御する制御基板と、前記浴室から前記浴室空気調和機を見上げた際の意匠性を確保するための意匠パネルとを備えた浴室空気調和機であって、前記浴室空気調和機の故障時、エラーコード表示部にエラーコードを発報するとともに、前記エラーコードが発報された時の運転モードおよびアクチュエータの作動状態、前記循環モータおよび前記換気モータの積算運転時間、前記浴室空気調和機への積算通電時間を不揮発性メモリに記憶するという構成にしたことにより、浴室空気調和機の故障時、エラーコード表示部にエラーコードを発報するとともに、前記エラーコードが発報された時間と、その時の運転モードおよびアクチュエータの作動状態を不揮発性メモリに記憶することとなるので、浴室空気調和機の故障発生時に、メンテナンス者が容易に故障原因を推定し、保守点検および修理の判断を容易に行うことができる、という効果を得ることができる。
【図面の簡単な説明】
【００１４】
【図１】本発明の実施の形態１の浴室空気調和機を示す側構成図
【図２】同浴室空気調和機における乾燥運転時の動作フローを示す図
【図３】本発明の実施の形態１のエラーコードおよびエラー記憶内容を読み出した際の動作フローを示す図
【図４】本発明の実施の形態２の浴室空気調和機を示す側構成図
【図５】本発明の実施の形態２のエラーコードおよびエラー記憶内容を読み出した際の動作フローを示す図
【図６】従来のエラーコード表示システムを示す図
【発明を実施するための形態】
【００１５】
本発明の請求項１記載の浴室空気調和機は、天井裏に隠蔽される浴室空気調和機のうち、浴室の空気を吸い込んで前記浴室に戻す循環ファンおよび循環モータと、前記浴室の空気を吸い込んで屋外に排出する換気ファンおよび換気モータと、前記浴室から吸い込んだ空気を加熱する循環風加熱手段と、前記浴室空気調和機運転を制御する制御基板と、前記浴室から前記浴室空気調和機を見上げた際の意匠性を確保するための意匠パネルとを備えた浴室空気調和機であって、前記浴室空気調和機の故障時、エラーコード表示部にエラーコードを発報するとともに、前記エラーコードが発報された時の運転モードおよびアクチュエータの作動状態、前記循環モータおよび前記換気モータの積算運転時間、前記浴室空気調和機への積算通電時間を不揮発性メモリに記憶すること、という構成を有する。これにより、浴室空気調和機の故障時、エラーコード表示部にエラーコードを発報するとともに、前記エラーコードが発報された時間と、その時の運転モードおよびアクチュエータの作動状態を不揮発性メモリに記憶することとなるので、浴室空気調和機の故障発生時に、メンテナンス者が容易に故障原因を推定し、保守点検および修理の判断を容易に行うことができる、という効果を奏する。
【００１６】
また、浴室空気調和機を脱衣室から操作し運転状態を表示する操作手段としてのコントローラを備え、前記コントローラは前記浴室空気調和機と通信線を用いて接続され、前記浴室空気調和機の故障時、前記コントローラがエラーコードの表示部を兼ねること、という構成にしてもよい。これにより、浴室空気調和機を脱衣室から操作し運転状態を表示する操作手段としてのコントローラがエラーコード表示部を兼ねることとなるので、エラーコード表示装置を別途設ける必要が無くなるため、コストを上げずにエラーコードの表示を行うことができる、という効果を奏する。
【００１７】
また、エラーコードが発報された時間として、制御基板に内蔵されたタイマによってカウントされた積算通電時間を不揮発性メモリに記憶することとなるので、いつ発生した故障かを確認することができる、という効果を奏する。
【００１８】
また、コントローラを操作することにより、不揮発性メモリに記憶されたエラーコードが発報された時間と、その時の運転モードおよび各アクチュエータの状態を、前記コントローラのエラーコード表示部に順次表示させること、という構成にしてもよい。これにより、不揮発性メモリに記憶されたエラーコードが発報された時間と、その時の運転モードおよび各アクチュエータの状態を、前記コントローラのエラーコード表示部に順次表示させることとなるので、コントローラを操作することにより不揮発性メモリに記憶された内容を現場で確認することができるため、別途、不揮発性メモリ内の記憶内容を読み出す装置の必要が無くなり、メンテナンス者が現場で簡単にエラーコード発報時の不揮発性メモリ内の情報を読み出すことができる、という効果を奏する。
【００１９】
また、エラーコードが発報された時間として、制御基板に内蔵されたタイマによってカウントされた各運転モードの積算運転時間を不揮発性メモリに記憶すること、という構成にしてもよい。これにより、エラーコードが発報された時間として、制御基板に内蔵されたタイマによってカウントされた各運転モードの積算運転時間を不揮発性メモリに記憶することとなるので、例えばエラーコードが示す内容がモータの故障である場合、原因が初期不良であるか経年劣化であるかが容易に判別できる、という効果を奏する。
【００２０】
また、浴室空気調和機の意匠パネルに取り付けたサブ基板にエラーコード表示手段を設け、前記浴室空気調和機に赤外線等を用いて運転指令を出すワイヤレスリモコンを操作することにより、前記エラーコード表示手段にエラーコードを表示すること、という構成にしてもよい。これにより、浴室空気調和機に赤外線等を用いて運転指令を出すワイヤレスリモコンを操作することにより、不揮発性メモリに記憶されたエラーコードが発報された時間と、その時の運転モードおよび各アクチュエータの状態を、意匠パネルのエラーコード表示部に順次表示させることとなるので、ワイヤレスリモコンを用いた場合においても、ワイヤレスリモコンを操作することにより不揮発性メモリに記憶された内容を現場で確認することができるため、別途、不揮発性メモリ内の記憶内容を読み出す装置の必要が無くなり、メンテナンス者が現場で簡単にエラーコード発報時の不揮発性メモリ内の情報を読み出すことができる、という効果を奏する。
【００２１】
以下、本発明の実施の形態について図面を参照しながら説明する。
【００２２】
（実施の形態１）
図１に示すように、浴室２１の天井裏に設置された箱型の本体１の内部に、吸込口１０ａから浴室２１の空気を吸い込んで吹出口１０ｂから浴室２１に戻すシロッコファンである循環ファン２、循環モータ３および循環風路４と、吸込口１０ａから浴室２１の空気を吸い込み、排気アダプタ１４および排気ダクト１５を介して屋外に排出するシロッコファンである換気ファン５、換気モータ６および換気風路７と、浴室２１から吸い込んだ空気を加熱する循環風加熱手段８であるＰＴＣヒータを備えた浴室空気調和機において、本体１の運転を制御するための制御基板９を備えている。
【００２３】
さらに、浴室２１から本体１を見上げた際の意匠性を確保するための意匠パネル１０を本体１の底面に備えており、浴室２１からの空気を吸込口１０ａに挿入された図示しないフィルターを通過して循環ファン２および換気ファン５に導く。意匠パネル１０には吹出口１０ｂから戻された風の向きを変更する可動ルーバ１３が取り付けられている。
【００２４】
本体１の構成部品として、本体１の操作をし、運転状態を表示する操作手段としてのコントローラ１１を脱衣室２２に備え、コントローラ１１は制御基板９に通信線１２を用いて接続されている。
【００２５】
また、コントローラ１１は、暖房や換気、乾燥、サウナ運転等の各種運転をさせるための複数の運転ボタン、左記の運転の時間を変更するための運転時間調整ボタン（例えば“↑”や“↓”の表示）、運転時間を表示する運転時間表示部分を備えたものである。
【００２６】
この構成によると、本体１に暖房や換気、乾燥、サウナ運転等の各種運転を行う際にユーザーが脱衣室２２からコントローラ１１の操作を行うことで、目的の運転をすることができる。
【００２７】
図２に示すように、例えば乾燥運転中に浴室空気調和機の構成部品（例えば、循環モータ３や換気モータ６等）に故障が生じたと制御基板９が判断する（例えば、循環モータ３の回転数がある回転数を３０秒間連続で下回った場合等）と、制御基板９は故障と判断した事象に対応するエラーコードを出力し、制御基板９に通信線１２を用いて接続されているコントローラ１１の運転時間表示部分に表示させると同時に、制御基板９に実装されたエラーコード記憶手段である不揮発性メモリ９ａに記憶させる。不揮発性メモリ９ａはエラーコード記憶手段以外に、エラー発報時の各アクチュエータの動作状態や運転モードを記憶するアクチュエータ動作記憶手段を兼ねており、本実施の形態では、記憶するアクチュエータの動作として、エラー発報時の循環モータ３の回転数、換気モータ６の回転数、吸込温センサ１６および吹出温センサ１７の検知温度、エラー発報時の運転モード、エラー発報時の循環モータ３および換気モータ６の積算運転時間、本体１への積算通電時間を同様に記憶する。不揮発性メモリ９ａに必要な情報である上記記載の項目を記憶させた後、本体１は運転を停止する。
【００２８】
また、不揮発性メモリ９ａは複数個のエラーコードおよびアクチュエータの動作を記憶することができるが、記憶容量をオーバーする場合は、古いエラーコードおよびアクチュエータの動作の記憶を消去し、新しく発生した内容の情報を上書きする。
【００２９】
上記のとおり、エラーコード記憶手段およびアクチュエータ動作記憶手段として不揮発性メモリを使用しているため、主電源を落としてもエラーコードおよびエラー発報時のアクチュエータの動作状態を記憶しておくことができる。
【００３０】
後日、修理業者が現場を訪れた際にコントローラ１１で特定のボタン操作を行うことで、ユーザーが通常使用する『通常モード』から、制御基板９に実装された不揮発性メモリ９ａに記憶されたエラーコードや各アクチュエータの動作状態を表示する『エラー内容表示モード』に移行することができる。
【００３１】
図３に示すように『エラー内容表示モード』においては、コントローラ１１を操作することで、過去に発報されたエラーコードを新しい内容の情報から順に複数個（例えば、５個くらい）遡って運転時間表示部分に表示することができる。
【００３２】
また、それぞれのエラー発報時の循環モータ３の回転数、換気モータ６の回転数、吸込温センサ１６および吹出温センサ１７の検知温度、エラー発報時の運転モード、エラー発報時の循環モータ３および換気モータ６の積算運転時間、浴室空気調和機への積算通電時間を運転時間表示部分に表示することができる。
【００３３】
アクチュエータの動作の表示は、循環モータ３は“１”、換気モータ６は“２”、吸込温センサ１６は“３”、吹出温センサ１７は“４”…といったアクチュエータを示す番号と、不揮発性メモリ９ａが記憶している情報を、運転時間表示部分に交互に表示する。
【００３４】
また、循環モータ３の積算通電時間は“ｃ”、換気モータの積算通電時間は“ｕ”、本体１への積算通電時間は“Ｅ”という記号で示す。表示の切り替わり周期は視認性を確保するため経験上０．５秒以上２秒以内が望ましく、本実施の形態では１秒周期としている。
【００３５】
循環モータ３の回転数、換気モータ回転数に関しては１回転刻みで４桁表示とする。したがって、例えば記憶している循環モータ回転数が２，０３２ｒｐｍの場合『１』と『２０３２』を交互に表示し、換気モータ回転数が１，４７０ｒｐｍの場合『２』と『１４７０』を交互に表示する。吸込温センサ１６および吹出温センサ１７の検知温度に関しては、千の桁はマイナス表示とし、０．５℃刻みで３桁表示する。したがって、例えば記憶している吸込温センサ１６の検知温度が３３．５℃の場合は『３』と『３３．５』を交互に表示する。エラー発報時の循環モータ３および換気モータ６の積算運転時間表示、本体１の積算通電時間表示は３６０，０００秒（１００時間）ごとに１増加するものとし、１００時間に満たない場合は切り捨てて表示する。したがって、例えば３，２７８時間通電した浴室空気調和機の積算通電時間は『００３２』となり、『Ｅ』と『００３２』を交互に表示する。
【００３６】
上記は制御基板９に実装されたマイコンの水晶発振子によるタイマ機能を利用し、カウントが１００時間に達するごとに積算通電時間表示を１増加させることで実現できる。また、制御基板９に電源周波数検知手段とゼロクロス回路を付加して電源周波数を検知し、電源周波数と、ゼロクロス回路がゼロを認識する周期から時間を計算して、カウントが１００時間に達するごとに積算通電時間表示を１増加させることでも実現できる。
【００３７】
また、循環モータ３および換気モータ６の回転数を記憶するため、本実施の形態ではＤＣモータを使用して制御基板９に回転数の信号をフィードバックできるようにしている。また、吸込温センサ１６および吹出温センサ１７は、温度によってセンサ先端の抵抗値が変化することを利用したサーミスタセンサを使用している。
【００３８】
これにより、エラーが発報された時の運転状況が分かるため、何の部品が故障したか容易に判断でき、例えば故障原因が経年劣化なのか、初期不良や誤配線によるものかを判断して修理を行うことができる。
【００３９】
また、コントローラ１１の運転時間表示部分をエラーコードやアクチュエータの記憶内容を表示させる際に使用することで、別の表示装置を別途設ける必要が無くなるため、コストを上げずにエラーコードの表示を行うことができる。
【００４０】
また、特別な解析装置が不要で、修理業者が現場でエラーコードおよびエラー発報時の各アクチュエータの状態を確認することが可能となるため、エラーの原因となる事象が複数あるような場合でも、どのアクチュエータが原因で不良が発生したか、修理業者が現場で故障箇所を判断することが容易となることが期待できる。
【００４１】
また、本実施の形態に示す左記本体１の制御基板９は本体１への積算通電時間を別に記憶しており、積算通電時間とエラー発報時の積算通電時間を比較することで、その故障がいつ頃に発生した物かを推測することができるものである。
【００４２】
これにより、例えば修理依頼を受けた時期が故障発生時期とズレていた場合でも、修理業者は故障がいつ発生したかを確認することが可能となるため、故障原因を正しく推測することができる。
【００４３】
一般的に、本体１は一旦ユーザーの手に渡った後は、ユーザーが長期に家を空ける時以外は通電されたままになることが多いため、本体１への積算通電時間を別に記憶しておくことで、故障が初期不良か経年劣化かを判断することが容易となる。これは、例えば、賃貸住宅で部屋の使用者が変わった直後に経年劣化に起因する故障が発生した場合など、使用者に『メーカーの製品保障期間』が過ぎていることを容易に説明できるため、修理の費用負担について使用者や家主に理解を求めやすくなる利点がある。
【００４４】
先に述べた特定のコントローラの操作とは、一般のユーザーが情報無しでは容易に操作しないような複雑な物が望ましく、本実施の形態では、例えば運転の時間を変更するための運転時間調整ボタンを両方長押し４秒間としているが、この操作に限ったことではなく、一般のユーザーが事前情報無しでは容易に操作しないと思われる操作であれば作用に影響を及ぼさない。
【００４５】
本実施の形態ではコントローラ１１の運転時間表示部分に４桁の７セグメントＬＥＤを用いているが、液晶画面を用いて運転時間を表示しても作用に影響を及ぼさない。
【００４６】
また、コントローラ１１は脱衣室２２への設置に限った物ではなく、例えばリビングや廊下に設置しても作用に影響を及ぼさない。
【００４７】
循環風加熱手段８として代表的な物として、電気ヒータや温水コイルが挙げられるが、本実施の形態では電気ヒータの種類のひとつであるＰＴＣヒータを用いている。
【００４８】
これは外部から温水配管を引き込む手間や工事が必要無いほか、ＰＴＣヒータの特性上、循環モータ３の故障時においてもヒータ温度が一定以上には上がらないため安全性が高いためである。
【００４９】
さらに、循環ファン２および換気ファン５にはシロッコファンを用いている。これはファンの特性上、外風圧や風路圧損といった圧力損失に強く、静圧が高い場合も風量が確保できるためである。
【００５０】
循環モータ３および換気モータ６にはＤＣモータを用いている。ＤＣモータは回転数信号を制御基板９にフィードバックすることができるため、アクチュエータの動作状態を不揮発性メモリに記憶することができる。しかしながら、安価な浴室空気調和機においてはイニシャルコスト削減のため、循環モータ３または換気モータ６のいずれかにＡＣモータが採用されることがある。この場合は該当するＡＣモータの出力信号から回転数を読み取ることができないが、エラー発報時の運転モードとセンサの検知温度、エラー発報時の循環モータまたは換気モータ６の積算運転時間、浴室空気調和機への積算通電時間から、ＡＣモータに起因する故障かどうかをある程度推測することができる。
【００５１】
（実施の形態２）
図４において、図１と同様の構成要素については同一の符号を付し、その詳細な説明は省略する。
【００５２】
本実施の形態では、本体１の底面に備えた意匠パネル１０の内側すなわち本体１の内部側に赤外線受信機能を備えたサブ基板１８を取り付け、サブ基板１８と制御基板９は通信線１９を用いて接続する。
【００５３】
サブ基板１８の表面、すなわち、浴室２１側に運転時間を表示する運転時間表示部分を設け、左記運転時間表示部分はエラーコード表示手段を兼ねており、本体１に赤外線を用いて運転指令を出すワイヤレスリモコン２０を操作することにより、前記エラーコード表示手段にエラーコードを表示する構成にしても良い。
【００５４】
本実施の形態ではサブ基板１８の運転時間表示部分として２桁の７セグメントＬＥＤを使用している。修理業者がワイヤレスリモコン２０で特定の操作を行うことで、本体１を通常使用する『通常モード』から、エラーコード記憶手段に格納されたエラーコードや各アクチュエータの動作状態を表示する『エラーコード表示モード』に移行することができる。
【００５５】
図５に示すように、エラーコード表示モードにおいては、ワイヤレスリモコン２０を操作することで、サブ基板１８のエラーコード表示部に過去に発報されたエラーコードを新しい物から順に複数個遡って表示することができる。
【００５６】
また、各エラー発報時の循環モータ３の回転数、換気モータ６の回転数、吸込温センサ１６および吹出温センサ１７の検知温度、エラー発報時の運転モード、エラー発報時の循環モータ３および換気モータ６の積算運転時間、本体１への積算通電時間をサブ基板１８のエラーコード表示部に表示することができる。
【００５７】
本実施の形態におけるサブ基板１８のエラーコード表示部は２桁なので、循環モータ３の回転数、換気モータ６の回転数に関しては４９捨５０入の上位２桁表示とする。したがって、例えば循環モータ３の回転数が２，０３２ｒｐｍの場合『１』と『２０』を交互に表示し、換気モータ６の回転数が１，４７０ｒｐｍの場合『２』と『１５』を交互に表示する。表示周期は視認性を確保するため０．５秒以上２秒以内が望ましく、本実施の形態では１秒周期としている。
【００５８】
吸込温センサ１６および吹出温センサ１７の検知温度に関しては、先の２桁で『センサ種類』を表示し、後の２桁で『検知温度』を表示する。小数第１位を切り上げて表示し、結果がマイナスの場合は『００』、１００以上の場合は『９９』と表示する。したがって、例えば記憶している吸込温センサの検知温度が３３．５℃の場合は『３』と『３４』を交互に表示する。
【００５９】
エラー発報時の循環モータ３および換気モータ６の積算運転時間は有効桁数が大きいため３回に分けて表示する。表示する内容はコントローラの場合と同様とする。
【００６０】
したがって、例えば３，２７８時間運転した浴室空気調和機の積算通電時間は『Ｅ』と『００』と『３２』を順番に表示する。
【産業上の利用可能性】
【００６１】
最寒の北海道の地区では冬の暖房時には必ず加湿をする必要があることから暖房装置と加湿装置を一体に設けた空気調和装置の用途にも適用でき、また、温度制御・湿度制御が可能であるので動植物の育成・保存にも適用できる。
【符号の説明】
【００６２】
１      本体
２      循環ファン
３      循環モータ
４      循環風路
５      換気ファン
６      換気モータ
７      換気風路
８      循環風加熱手段
９      制御基板
１０    意匠パネル
１０ａ  吸込口
１０ｂ  吹出口
１１    コントローラ
１２    通信線
１３    可動ルーバ
１４    排気アダプタ
１５    排気ダクト
１６    吸込温センサ
１７    吹出温センサ
１８    サブ基板
１９    通信線
２０    ワイヤレスリモコン
２１    浴室
２２    脱衣室
【図１】
2014047941.tif 000003
【図２】
2014047941.tif 000004
【図３】
2014047941.tif 000005
【図４】
2014047941.tif 000006
【図５】
2014047941.tif 000007
【図６】
2014047941.tif 000008